(57)【要約】【課題】利用者の移動方向を判断し、その移動方向に応じたサービスを提供する。【解決手段】複数の電極４ａ，４ｃを配置し、利用者の携帯する送信器２から送信された信号を受信した電極４ａ，４ｃの順番を検出する。これにより、利用者の移動方向を判断することができるとともに、入室時・退室時に応じたサービスを提供することができる。【選択図】図１
2008088672.tif 000002
【特許請求の範囲】
【請求項１】
利用者に配置される送信装置と、前記利用者の移動方向を検出する移動方向検出装置とを備えた移動方向検出システムであって、
前記送信装置は、
電界通信用の送信電極と、
前記利用者を特定するための情報を格納した格納手段と、
前記格納手段から前記情報を読み出して、当該情報に基づいて電界伝達媒体としての前記利用者に対して前記送信電極により電界を誘起して送信する送信手段と、を有し、
前記移動方向検出装置は、
複数の箇所に配置された電界通信用の受信電極と、
前記利用者を介して伝送される前記情報を前記受信電極を通じて受信する受信手段と、
少なくとも２箇所以上の前記受信電極において前記情報を検知したときに、前記情報を検知した前記受信電極の時系列の順序を特定することにより前記利用者の移動方向を検出する移動方向検出手段と、
を有することを特徴とする移動方向検出システム。
【請求項２】
前記受信電極のうち少なくとも１つは部屋の出入り口の外側の床面に配置され、前記受信電極のうち少なくとも１つは前記出入り口の内側の床面に配置されたものであることを特徴とする請求項１に記載の移動方向検出システム。
【請求項３】
前記移動方向検出手段により検出された前記利用者の移動方向に応じてサービスを提供するサービス提供手段をさらに有することを特徴とする請求項１又は２に記載の移動方向検出システム。
【請求項４】
複数の箇所に配置された電界通信用の受信電極と、
前記利用者を介して伝送される前記情報を前記受信電極を通じて受信する受信手段と、
少なくとも２箇所以上の前記受信電極において前記情報を検知したときに、前記情報を検知した前記受信電極の時系列の順序を特定することにより前記利用者の移動方向を検出する移動方向検出手段と、
を有することを特徴とする移動方向検出装置。
【請求項５】
前記受信電極のうち少なくとも１つは部屋の出入り口の外側の床面に配置され、前記受信電極のうち少なくとも１つは前記出入り口の内側の床面に配置されたものであることを特徴とする請求項４に記載の移動方向検出装置。
【請求項６】
前記移動方向検出手段により検出された前記利用者の移動方向に応じてサービスを提供するサービス提供手段をさらに有することを特徴とする請求項４又は５に記載の移動方向検出装置。
【請求項７】
利用者に配置される送信装置と、前記利用者の移動方向を検出する移動方向検出装置と で行う移動方向検出方法であって、
前記送信装置により、
前記利用者を特定するための情報を格納した格納手段から前記情報を読み出して、当該情報に基づいて電界伝達媒体としての前記利用者に対して電界通信用の送信電極により電界を誘起して送信するステップと、
前記移動方向検出装置により、
前記利用者を介して伝送される前記情報を、複数の箇所に配置された電界通信用の受信電極を通じて受信するステップと、
少なくとも２箇所以上の前記受信電極において前記情報を検知したときに、前記情報を検知した前記受信電極の時系列の順序を特定することにより前記利用者の移動方向を検出するステップと、
を有することを特徴とする移動方向検出方法。
【発明の詳細な説明】
【技術分野】
【０００１】
本発明は、利用者の進行方向を判断し、その進行方向に基づいてサービスを提供する技術に関する。
【背景技術】
【０００２】
近年、入退室を管理する入退室システムには、ＩＣカードを用いて個人認証を行うものが導入されている。ＩＣカードを用いた入退室システムでは、ドアが閉じている状態では施錠され、ＩＣカードをカードリーダにかざすことにより、電気錠を制御して開錠する。例えば、個人認証をして入退室を管理するものとして、特許文献１に記載のものが知られている。また、本願に関連する技術文献としては以下のものがある。
【特許文献１】特開２００５−７８４４４号公報
【非特許文献１】”ＲｅｄＴａｃｔｏｎ”、［online］、日本電信電話株式会社、［平成１８年７月２１日検索］、インターネット＜ＵＲＬ：http://www.redtacton.com/＞
【発明の開示】
【発明が解決しようとする課題】
【０００３】
しかしながら、従来の入退室システムでは、電子錠の施錠・開錠を管理しているだけなので、ドアの鍵を開けただけで実際に入室していない場合などの状況を把握することができなかった。また、利用者が入室するのか、あるいは、退室するのか判別することができないので、入室時あるいは退室時に対応したサービスを提供することができなかった。
【０００４】
本発明は、上記に鑑みてなされたものであり、その課題とするところは、利用者の移動方向を容易に判断することにある。
【０００５】
本発明の別の目的は、利用者の移動方向を判断するとともに、その移動方向に応じたサービスを提供することにある。
【課題を解決するための手段】
【０００６】
第１の本発明に係る移動方向検出システムは、利用者に配置される送信装置と、利用者の移動方向を検出する移動方向検出装置とを備えた移動方向検出システムであって、送信装置は、電界通信用の送信電極と、利用者を特定するための情報を格納した格納手段と、格納手段から情報を読み出して、当該情報に基づいて電界伝達媒体としての利用者に対して送信電極により電界を誘起して送信する送信手段と、を有し、移動方向検出装置は、複数の箇所に配置された電界通信用の受信電極と、利用者を介して伝送される情報を受信電極を通じて受信する受信手段と、少なくとも２箇所以上の受信電極において情報を検知したときに、情報を検知した受信電極の時系列の順序を特定することにより利用者の移動方向を検出する移動方向検出手段と、を有することを特徴とする。
【０００７】
本発明にあっては、複数の箇所に受信電極を配置し、利用者に配置された送信装置から送信された情報を検知した受信電極の検知順序を特定することにより、利用者の移動方向を判断することができる。
【０００８】
上記移動方向検出システムにおいて、受信電極のうち少なくとも１つは部屋の出入り口の外側の床面に配置され、受信電極のうち少なくとも１つは出入り口の内側の床面に配置されたものであることを特徴とする。
【０００９】
本発明にあっては、部屋の内側と外側にそれぞれ受信電極を配置することにより、送信装置を携帯する利用者が部屋に入室したのかあるいは退室したのかを検出することができる。
【００１０】
上記移動方向検出システムにおいて、移動方向検出手段により検出された利用者の移動方向に応じてサービスを提供するサービス提供手段をさらに有することを特徴とする。
【００１１】
本発明にあっては、利用者に対してサービスを提供するサービス提供手段をさらに有することにより、検出した利用者の移動方向に応じて適切なサービスを提供することを可能とする。また、部屋の出入り口に電極を配置することにより、その部屋に入退室する利用者を特定して管理するとともに、利用者の入退室に応じて適切なサービスを提供することができる。
【００１２】
第２の本発明に係る移動方向検出装置は、複数の箇所に配置された電界通信用の受信電極と、利用者を介して伝送される情報を受信電極を通じて受信する受信手段と、少なくとも２箇所以上の受信電極において情報を検知したときに、情報を検知した受信電極の時系列の順序を特定することにより利用者の移動方向を検出する移動方向検出手段と、を有することを特徴とする。
【００１３】
上記移動方向検出装置において、受信電極のうち少なくとも１つは部屋の出入り口の外側の床面に配置され、受信電極のうち少なくとも１つは出入り口の内側の床面に配置されたものであることを特徴とする。
【００１４】
上記移動方向検出装置において、移動方向検出手段により検出された利用者の移動方向に応じてサービスを提供するサービス提供手段をさらに有することを特徴とする。
【００１５】
第３の本発明に係る移動方向検出方法は、利用者に配置される送信装置と、利用者の移動方向を検出する移動方向検出装置と で行う移動方向検出方法であって、送信装置により、利用者を特定するための情報を格納した格納手段から情報を読み出して、当該情報に基づいて電界伝達媒体としての利用者に対して電界通信用の送信電極により電界を誘起して送信するステップと、移動方向検出装置により、利用者を介して伝送される情報を、複数の箇所に配置された電界通信用の受信電極を通じて受信するステップと、少なくとも２箇所以上の受信電極において情報を検知したときに、情報を検知した受信電極の時系列の順序を特定することにより利用者の移動方向を検出するステップと、を有することを特徴とする。
【発明の効果】
【００１６】
本発明によれば、利用者の移動方向を容易に判断することができる。
【００１７】
また、別の本発明によれば、利用者の移動方向を判断するとともに、その移動方向に応じたサービスを提供することが可能となる。
【発明を実施するための最良の形態】
【００１８】
以下、本発明の実施の形態について図面を用いて説明する。
【００１９】
図１は、本実施の形態における移動方向検出システムの構成を示すブロック図である。同図に示す移動方向検出システムは、利用者に配置された送信器２と入退室管理装置３とを備える。入退室管理装置３は、電界通信用の複数の電極４ａ，４ｂ，４ｃ、各々の電極４ａ，４ｂ，４ｃに接続された受信器５ａ，５ｂ，５ｃ、判断部６、管理部７およびさまざまなサービスを提供するための各種コントローラ８ａ，８ｂ，８ｃ，８ｄを備える。送信器２と入退室管理装置３とは利用者を電界伝達媒体として、電界通信によりデータの送受信を行う（電界通信については非特許文献１を参照）。
【００２０】
送信器２は、利用者により携帯され、利用者を特定するためのＩＤを保持するとともに、電界伝達媒体である利用者に電界を誘起することによりＩＤを送信する装置である。なお、送信器２は受信機能を備えた送受信器であってもよい。
【００２１】
受信器５ａ，５ｂ，５ｃは、送信器２から送信されたＩＤを電極４ａ，４ｂ，４ｃを介して受信する。なお、受信器５ａ，５ｂ，５ｃは送信機能を備えた送受信器であってもよい。
【００２２】
判断部６は、受信器５ａ，５ｂ，５ｃが受信した利用者のＩＤおよびそのＩＤを検知した電極の情報に基づいて利用者の移動方向を判断し、利用者のＩＤと状態とを対応付けて判断部６の有するメモリに記憶する。利用者の移動方向は、利用者がどのような順序で電極４ａ，４ｂ，４ｃに接触したのかを検知することにより判断する。
【００２３】
管理部７には、利用者にサービスを提供する機器をコントロールするための各種コントローラ８ａ，８ｂ，８ｃ，８ｄが接続されている。管理部７は、室内に存在している利用者のＩＤと人数を管理部７の有するメモリに記憶し管理するとともに、利用者の状態に応じて各種コントローラ８ａ，８ｂ，８ｃ，８ｄを制御する。例えば、利用者が入室した場合には、電灯コントローラ８ａを制御して電灯を点灯し、空調コントローラ８ｂを制御して空調の電源を入れる。また、最後の利用者が退室した場合には、電灯コントローラ８ａや空調コントローラ８ｂを制御して電源をオフにするとともに、セキュリティ監視機能をオンにする。
【００２４】
図２は、送信器２の構成を示すブロック図である。送信器２は、電界通信用の電極２１と、電界通信用の通信回路２２と、利用者を識別するための情報であるＩＤを格納したメモリ２３を備える。通信回路２２は、メモリ２３からＩＤを読み出し、電極２１を通じて利用者へ向けて電界を誘起することで、利用者を介して入退室管理装置３へＩＤを送信する。
【００２５】
図３は、本実施の形態における入退室管理装置の電極の配置を示す模式図である。同図に示すように、電極４ａ，４ｃは、利用者がドアを通過するときに接触するように、部屋の外側の床と部屋の内側の床にそれぞれ配置され、電極４ｂは、利用者がドアを開けるときに接触するようにドアノブに配置されている。このように、利用者の一連の動作において自然に接触するように複数の電極を配置し利用者のＩＤを検知した電極の順番を特定することにより、利用者の移動方向を判断することができる。
【００２６】
具体的には、利用者のＩＤが電極４ａ、電極４ｂ、電極４ｃの順番で検出された場合には、その利用者は入室したと判断することができる。一方、電極４ｃ、電極４ｂ、電極４ａの順番で検出された場合には、その利用者は退室したと判断することができる。なお、ドアノブに配置した電極４ｂから利用者のＩＤを受信しなくても、電極４ａ、電極４ｃの順番で利用者のＩＤが検出された場合には、入室したと判断することができ、電極４ｃ、電極４ａの順番で利用者のＩＤが検出された場合には、利用者は退出したと判断することができる。また、外側のドアノブ、内側のドアノブのそれぞれに異なる電極を配置してもよいし、ドアノブに電極４ｂを配置しなくてもよい。
【００２７】
部屋の内外に電極を設置する場合に限らず、例えば、廊下などに２つの電極を設置し、送信器２から送信された信号が検出された電極の順序を特定することによって、利用者の進んでいる方向を判断することができる。以下、本実施の形態における移動方向検出システムの処理の流れについて説明する。
【００２８】
図４は、本実施の形態における移動方向検出システムの処理の流れを示すシーケンス図である。
【００２９】
ステップ１で、入退室管理装置３は、電極４ａを介して利用者のＩＤを受信したことにより、利用者が電極４ａに接触したことを検知する。判断部６は、利用者が電極４ａに接触している状態であることをメモリに記憶する。
【００３０】
ステップ２で、入退室管理装置３は、電極４ｂを介して利用者のＩＤを受信したことにより、利用者が電極４ｂに接触したことを検知する。判断部６は、利用者の状態が電極４ａに接触している状態から電極４ｂに接触している状態へ変化したと判断し、管理部７に対して、利用者が入室しようとしてドアノブに接触している状態であることを通知する。管理部７は、利用者の状態の通知を受けて、電子錠コントローラ８ｄに対して鍵を開錠するように制御する。
【００３１】
ステップ３で、入退室管理装置３は、電極４ｃを介して利用者のＩＤを受信したことにより、利用者が電極４ｃに接触したことを検知する。判断部６は、利用者の状態が電極４ｂに接触している状態から電極４ｃに接触している状態へ変化したと判断し、管理部７に対して利用者が入室したことを通知する。管理部７は、利用者入室の通知を受けて、受信した利用者のＩＤを部屋の中にいる利用者としてメモリに記憶し、さらに、メモリに記憶している現在部屋の中にいる人数を読み出し、１人増加させて、メモリに記憶させる。最初に入室した利用者である場合には、電灯コントローラ８ａおよび空調コントローラ８ｂを制御して電灯・空調の電源を入れる。また、入室した利用者に対してメッセージなどがある場合には、室内モニタコントローラ８ｃを制御してメッセージを表示する。
【００３２】
次に、利用者が退室するときの処理の流れを説明する。図５は、本実施の形態における移動方向検出システムの処理の流れを示すシーケンス図である。
【００３３】
ステップ１で、入退室管理装置３は、電極４ｃを介して利用者のＩＤを受信したことにより、利用者が電極４ｃに接触したことを検知する。判断部６は、利用者が電極４ｃに接触している状態であることをメモリに記憶する。
【００３４】
ステップ２で、入退室管理装置３は、電極４ｂを介して利用者のＩＤを受信したことにより、利用者が電極４ｂに接触したことを検知する。判断部６は、利用者の状態が電極４ｃに接触している状態から電極４ｂに接触している状態へ変化したと判断し、管理部７に対して、利用者が退室しようとしてドアノブに接触している状態であることを通知する。管理部７は、利用者の状態の通知を受けて、電子錠コントローラ８ｄに対して鍵を開錠するように制御する。
【００３５】
ステップ３で、入退室管理装置３は、電極４ａを介して利用者のＩＤを受信したことにより、利用者が電極４ａに接触したことを検知する。判断部６は、利用者の状態が電極４ｂに接触している状態から電極４ａに接触している状態へ変化したと判断し、管理部７に対して利用者が退室したことを通知する。管理部７は、利用者退室の通知を受けて、受信した利用者のＩＤをメモリから削除し、メモリに記憶している現在部屋の中にいる人数を読み出し、１人減少させて、メモリに記憶させる。最後の退室者である場合には、電灯コントローラ８ａおよび空調コントローラ８ｂを制御して電灯・空調の電源を切る。
【００３６】
したがって、本実施の形態によれば、複数の電極４ａ，４ｃを配置し、利用者の携帯する送信器２から送信された信号を受信した電極４ａ，４ｃの順番を検出することにより、利用者の移動方向を判断することができるとともに、入室時・退室時に応じたサービスを提供することができる。また、利用者の一連の動作において自然に接触するように電極を配置することで、利用者の負担を軽減することができる。
【００３７】
なお、利用者は退出後に、きちんと施錠されているかどうか、あるいは、半ドア状態になっていないか確認するために再びドアノブに触れることがある。このような場合、図３に示すようにドアノブに電極４ｂを設置したときには、入退室管理装置３は利用者が入室する状態であると判断し、再度開錠してしまう。また、ドアがきちんと閉まらず半ドアの状態になったときには、利用者は、きちんとドアを閉めようとして再び電極が設置してあるドアノブに接触するので、入退室管理装置３は利用者が入室しようとしていると判断してしまう。
【００３８】
このような状況を防止するために、入退室管理装置３は、利用者が退室してから所定の時間が経過するまでは、電極４ｂに接触しても開錠しないようにする。
【００３９】
あるいは、図６（ａ）に示すように、利用者がドアを開けようとしている状態であると判断するための電極４ｄを、ドアノブではなくドアの横の壁に配置する。または、図６（ｂ）に示すように、ドアノブの下に電極４ｅを配置する。これにより、利用者が退出後に、施錠の確認をしようとドアノブに触れた場合でも、再び開錠されることがなくなるとともに、ドアノブ付近に配置された電極４ｄ，４ｅに触れるだけで、開錠することができる。
【００４０】
また、ドアあるいはドア近辺に施錠の状態がわかるランプ、音声ガイドなどを設置することで、利用者は、ドアノブに触れることなく、施錠の状態をランプや音声ガイドにより確認することができる。
【図面の簡単な説明】
【００４１】
【図１】一実施の形態における移動方向検出システムの構成を示すブロック図である。
【図２】上記移動方向検出システムにおける送信器の構成を示すブロック図である。
【図３】上記移動方向検出システムにおける電極の配置を示す模式図である。
【図４】上記移動方向検出システムにおいて利用者が入室する際の処理の流れを示すシーケンス図である。
【図５】上記移動方向検出システムにおいて利用者が退室する際の処理の流れを示すシーケンス図である。
【図６】上記移動方向検出システムにおける電極の別の配置を示す模式図であり、同図（ａ）はドアの横の壁に電極を配置した図であり、同図（ｂ）はドアノブ付近に電極を配置した図である。
【符号の説明】
【００４２】
２…送信器
３…入退室管理装置
４ａ，４ｂ，４ｃ，４ｄ，４ｅ…電極
５ａ，５ｂ，５ｃ…受信器
６…判断部
７…管理部
８ａ…電灯コントローラ
８ｂ…空調コントローラ
８ｃ…室内モニタコントローラ
８ｄ…電子錠コントローラ
２１…電極
２２…通信回路
２３…メモリ
【図１】
2008088672.tif 000003
【図２】
2008088672.tif 000004
【図３】
2008088672.tif 000005
【図４】
2008088672.tif 000006
【図５】
2008088672.tif 000007
【図６】
2008088672.tif 000008